(57)【特許請求の範囲】
【請求項１】
アンテナのためのアンテナ接地部を形成する導電性構造体を有すると共に、ハウジングの少なくとも幾つかの縁の周りに延びてアンテナの少なくとも一部分を形成する周辺導電性部材を有するハウジングを備え、前記アンテナ接地部及び前記周辺導電性部材は、ギャップにより分離され、そして前記導電性構造体は、突出係合特徴部を有し、
更に、前記ギャップ内にあって前記突出係合特徴部上に成形されたプラスチック構造体を備えた電子装置。
【請求項２】
前記プラスチック構造体は、前記ギャップを橋絡し、そして前記周辺導電性部材に接触し、前記導電性構造体は、少なくとも１つの内部シートメタル構造体を含み、更に、前記突出係合特徴部は、屈曲タブを含む、請求項１に記載の電子装置。
【請求項３】
前記屈曲タブは、前記プラスチック構造体と前記導電性構造体との間の分離に抵抗するプロフィールを有する、請求項２に記載の電子装置。
【請求項４】
前記屈曲タブは、ダボテール状のプロフィールを有する、請求項３に記載の電子装置。
【請求項５】
前記内部シートメタル構造体は、平面内にあり、そして前記屈曲タブは、その平面に対して２０°から６０°の角度で曲げられる、請求項３に記載の電子装置。
【請求項６】
前記ハウジングは、長方形の周囲を有し、そして前記周辺導電性部材は、前記ハウジングの側壁を形成し且つ前記長方形の周囲の周りに延びる金属ハウジング部材を含む、請求項２に記載の電子装置。
【請求項７】
前記周辺導電性部材及び前記導電性構造体は、ステンレススチールを含む、請求項１に記載の電子装置。
【請求項８】
前記アンテナを通して高周波アンテナ信号を送信及び受信する高周波トランシーバ回路を更に備えた、請求項６に記載の電子装置。
【請求項９】
アンテナのためのアンテナ接地部を形成する導電性構造体を含むと共に、ハウジングの少なくとも幾つかの縁の周りに延びてアンテナの少なくとも一部分を形成する周辺導電性部材を有するハウジングを備え、前記アンテナ接地部及び前記周辺導電性部材は、ギャップにより分離され、
更に、前記周辺導電性部材上にあって、前記ギャップを調整することによりアンテナをチューニングするように構成された調整可能な導電性構造体を備えた電子装置。
【請求項１０】
前記調整可能な導電性構造体は、
スクリューと、
前記スクリューにより前記周辺導電性部材に保持されるワッシャーと、
を含む請求項９に記載の電子装置。
【請求項１１】
前記アンテナ接地部を形成する前記導電性構造体は、カメラを含む、請求項１０に記載の電子装置。
【請求項１２】
前記カメラ及びワッシャーは、前記ギャップによって互いに分離される、請求項１１に記載の電子装置。
【請求項１３】
アンテナ接地部を形成する前記導電性構造体は、少なくとも１枚のシートメタル層を含む、請求項９に記載の電子装置。
【請求項１４】
前記周辺導電性部材は、リング状のステンレススチール部材を含む、請求項１３に記載の電子装置。
【請求項１５】
前記ギャップにプラスチックを更に含む、請求項１４に記載の電子装置。
【請求項１６】
係合特徴部を有する接地平面導電性構造体と、
前記接地平面導電性構造体からギャップで分離された一部分をもつ長方形リング状周辺導電性ハウジング部材と、
前記ギャップ内にあって、前記係合特徴部に取り付けられる少なくとも１つのプラスチック構造体と、
前記長方形リング状周辺導電性ハウジング部材の前記一部分にある調整可能な導電性構造体と、
を備えた電子装置。
【請求項１７】
前記接地平面導電性構造体は、シートメタルを含み、そして前記係合特徴部は、そのシートメタルから突出したタブを含む、請求項１６に記載の電子装置。
【請求項１８】
前記調整可能な導電性構造体は、前記ギャップの一部分に関連した寸法を変更するように選択された厚みをもつ金属部材を含む、請求項１７に記載の電子装置。
【請求項１９】
前記接地平面導電性構造体及び長方形リング状周辺導電性ハウジング部材は、少なくとも１つのアンテナの一部分を形成し、そして前記電子装置は、アンテナに結合された高周波トランシーバを更に備えた、請求項１８に記載の電子装置。
【請求項２０】
前記金属部材は、ワッシャーを含み、前記調整可能な導電性構造体は、そのワッシャーを前記長方形リング状周辺導電性ハウジング部材に取り付けるスクリューを含み、前記タブは、屈曲タブを含み、そして前記プラスチック構造体は、その屈曲タブ上に成形されるプラスチックを含む、請求項１９に記載の電子装置。
【発明の詳細な説明】
【技術分野】
【０００１】
本発明は、一般的に、電子装置に関するもので、より詳細には、電子装置のハウジング構造体及び調整可能なアンテナ構造体に関する。
【０００２】
本出願は、２０１１年１月３１日に出願された米国特許出願第１３／０１８，２６３号及び２０１１年１月１１日に出願されたプロビジョナル特許出願第６１／４３１，５２３号の優先権を主張するもので、これらは、参考としてここにそのまま援用される。
【背景技術】
【０００３】
セルラー電話及び他の装置のような電子装置は、多くの場合に、ワイヤレス通信回路を備えている。このワイヤレス通信回路は、例えば、セルラー電話ネットワークと通信するためのセルラー電話トランシーバを含む。又、電子装置のワイヤレス通信回路は、ワイヤレスローカルエリアネットワーク回路及び他のワイヤレス回路も含む。ワイヤレス信号を送信及び受信するためにアンテナ構造体が使用される。
【０００４】
フォームファクタの小さいワイヤレス装置についての消費者の需要を満足するために、製造者は、コンパクトな配列体を使用したアンテナのようなワイヤレス通信回路を具現化すべく努力を続けている。同時に、金属の装置ハウジングコンポーネントのような導電性構造体を電子装置に含ませることが望まれる。導電性コンポーネントは、高周波性能に影響するので、導電性構造体を含む電子装置にアンテナを合体するときには注意を払わねばならない。ある構成では、導電性ハウジング構造体を使用して装置のためのアンテナ構造体を形成することが望ましい。そのようなアンテナ構造体は、導電性ハウジング構造体のレイアウトに敏感である。それ故、導電性ハウジング構造体及びそれに関連したコンポーネントを、アンテナ性能に悪影響を及ぼさずに電子装置内に配置することが課題である。
【発明の概要】
【発明が解決しようとする課題】
【０００５】
それ故、アンテナ性能に関連した電子装置内の構造体を調整し及びマウントするための改良された構成体を提供できることが要望される。
【課題を解決するための手段】
【０００６】
ワイヤレス通信回路を含む電子装置が提供される。ワイヤレス通信回路は、接地平面及び周辺導電性ハウジング部材から形成されたアンテナ構造体を備えている。接地平面及び周辺導電性ハウジング部材は、ギャップにより分離される。ギャップには、空気及びプラスチックのような誘電体が充填される。ギャップの縁に沿った導電性コンポーネントは、ギャップのレイアウトに影響し、従って、アンテナ性能に影響する。
【０００７】
接地平面は、ある角度で上方に曲げられたタブのような突出係合特徴部を有するシートメタル構造体から形成される。係合特徴部の上にはプラスチック構造体がインサート成形される。タブは、４５°の角度に曲げられ、そしてプラスチック構造体とシートメタル構造体との分離に抵抗するためダボテールプロフィールが与えられる。接地平面が電子装置にマウントされるとき、プラスチック構造体が内部接地平面と周辺導電性ハウジング部材との間の誘電体ギャップを橋絡する。
【０００８】
選択可能な厚みをもつワッシャー又は他の部材のような調整可能な構造体が、接地平面に関連したカメラ構造体のような導電性構造体からギャップを横切って周辺導電性ハウジング部材にマウントされる。製造中のテストで、アンテナ性能が望ましい基準からずれていることが明らかになった場合には、アンテナ性能をチューニングするように調整可能な構造体の厚みを調整することができる。
【０００９】
本発明の更に別の特徴、その特性及び種々の効果は、添付図面及び好ましい実施形態の以下の詳細な説明から明らかとなろう。
【図面の簡単な説明】
【００１０】
【図１】本発明の一実施形態により、ハウジング構造体を使用して形成されたアンテナ構造体が設けられた形式の電子装置を例示する斜視図である。
【図２】本発明の一実施形態による図１に示す形式の電子装置の頂部内部図である。
【図３】本発明の一実施形態により導電性の電子装置ハウジング構造体間にギャップを形成してアンテナ構造体を形成するところを示す図である。
【図４】接地平面構造体のような導電性の内部ハウジング構造体の側面図で、本発明の一実施形態により誘電体構造体を取り付ける上で助けとなる係合特徴部を接地平面構造体にどのように設けるか示す図である。
【図５】本発明の一実施形態により、図４の係合特徴部に使用されるダボテール形状を例示する図である。
【図６】本発明の一実施形態により、図５の特徴部を含む電子装置の一部分の斜視図である。
【図７】本発明の一実施形態により、インサート成形のプラスチック部材のような誘電体構造体が接地平面構造体の係合特徴部に取り付けられた図６の電子装置の一部分の斜視図である。
【図８】アンテナの一部分として使用されるギャップ領域付近の電子装置の内部角部分の上面図で、本発明の一実施形態により、アンテナ調整を行うための調整可能な導電性構造体を装置の角にどのように設けるか示す図である。
【図９】図８の内部電子装置部分の分解斜視図で、本発明の一実施形態により、アンテナ調整を行うために厚みを選択できるワッシャー又は他の導電性部材を調整可能な導電性構造体がどのように含むか示す図である。
【図１０】図９の電子装置の内部の斜視図で、本発明の一実施形態により、調整可能な導電性構造体がアンテナギャップ領域を横切って導電性の装置コンポーネントにどのように対向するか示す図である。
【発明を実施するための形態】
【００１１】
電子装置には、ワイヤレス通信回路が設けられる。ワイヤレス通信回路は、１つ以上のワイヤレス通信帯域においてワイヤレス通信をサポートするのに使用される。電子装置のアンテナ構造体は、高周波信号を送信及び受信するのに使用される。
【００１２】
ワイヤレス通信回路を含む電子装置が図１に例示されている。図１の装置１０は、ノートブックコンピュータ、タブレットコンピュータ、一体型コンピュータを伴うコンピュータモニタ、デスクトップコンピュータ、又は他の電子装置である。必要に応じて、電子装置１０は、セルラー電話、メディアプレーヤ、他のハンドヘルド装置、腕時計装置、ペンダント装置、イヤホン装置、又は他のコンパクトなポータブル装置のようなポータブル装置である。
【００１３】
図１に示すように、装置１０は、ハウジング１１のようなハウジングを有する。ハウジング１１は、プラスチック、金属、カーボンファイバー及び他の複合ファイバー、セラミック、ガラス、木材、他の材料、又はそれら材料の組み合わせのような材料から形成される。装置１０は、ハウジング１１の若干又は全部が材料の単一部片（例えば、金属の単一鋳造又は加工部片、成形プラスチックの単一部片、等）から形成された単体構造を使用して形成されてもよいし、又はフレーム構造体や、ハウジング側壁構造体や、固定具、接着剤及び他の取り付けメカニズムを使用して一緒にアッセンブルされる他の構造体から形成されてもよい。図１に例示された構成では、ハウジング１１は、周辺導電性ハウジング部材１２を含む。この周辺導電性ハウジング部材１２は、装置１０の長方形の周囲に延びるリング形状を有する。ギャップ３０のような１つ以上のギャップが周辺導電性ハウジング部材１２に形成される。ギャップ３０のようなギャップは、プラスチックのような誘電体が充填され、周辺導電性ハウジング部材の連続形状を中断するものである。周辺導電性ハウジング部材は、特定の数のギャップ（例えば、１つより多く、２つより多く、３つ以上、３つ未満、等）。
【００１４】
周辺導電性ハウジング部材１２は、金属のような耐久性材料から形成される。ハウジング部材１２を形成するのにステンレススチールが使用される。というのは、ステンレススチールは、審美的に魅力があり、強力で、且つ製造中に加工できるからである。必要に応じて、他の金属も使用できる。ハウジング１１の後面は、プラスチック、ガラス、金属、セラミック複合物、又は他の適当な材料から形成される。例えば、ハウジング１１の後面は、増強のため内部金属層が裏張りされた領域を有するガラスプレートから形成される。周辺導電性ハウジング部材１２は、垂直方向寸法Ｚが比較的短くてもよいし（例えば、ディスプレイ１４のベゼルとして働くために）、又は背が高くてもよい（例えば、図１の例示的構成に示されたようにハウジング１１の側壁として働くために）。
【００１５】
装置１０は、ボタン、入力／出力ポートコネクタ、除去可能なメディアのためのポート、センサ、マイクロホン、スピーカ、状態インジケータ、及び他の装置コンポーネントのようなコンポーネントを備えている。図１に示すように、例えば、装置１０は、メニューボタン１６のようなボタンを含む。又、装置１０は、スピーカポート１８のようなスピーカポートも含む（例えば、装置１０のイヤスピーカとして働くために）。
【００１６】
装置１０には、１つ以上のアンテナが形成される。アンテナは、例えば、ディスプレイ１４の導電性素子からの分離を与えるために、位置２４及び２６のような位置に形成される。アンテナは、単一帯域及びマルチ帯域アンテナ構造体を使用して形成される。アンテナによりカバーされる通信帯域は、例えば、セルラー電話帯域（例えば、８５０ＭＨｚ、９００ＭＨｚ、１８００ＭＨｚ、及び２１００ＭＨｚの帯域）、衛星ナビゲーション帯域（例えば、１５７５ＭＨｚのグローバルポジショニングシステム帯域）、ワイヤレスローカルエリアネットワーク帯域、例えば、２．４ＧＨｚ及び５ＧＨｚのＩＥＥＥ８０２．１１（ＷｉＦｉ（登録商標））帯域、２．４ＧＨｚのＢｌｕｅｔｏｏｔｈ帯域、等を含む。装置１０のアンテナに使用されるアンテナ構成は、例えば、モノポールアンテナ、ダイポールアンテナ、ストリップアンテナ、パッチアンテナ、逆Ｆ字アンテナ、コイルアンテナ、プレーナ逆Ｆ字アンテナ、開スロットアンテナ、閉スロットアンテナ、ループアンテナ、複数形式のアンテナ構造体又は他の適当なアンテナ構造体を含むハイブリッドアンテナを含む。
【００１７】
装置１０は、ディスプレイ１４のような１つ以上のディスプレイを含む。ディスプレイ１４は、液晶ディスプレイ（ＬＣＤ）、有機発光ダイオード（ＯＬＥＤ）ディスプレイ、プラズマディスプレイ、電子インクディスプレイ、等である。ディスプレイ１４にはタッチセンサが合体される（即ち、ディスプレイ１４は、タッチスクリーンである）。タッチセンサは、音響タッチセンサ、抵抗性タッチセンサ、圧電タッチセンサ、容量性タッチセンサ（例えば、インジウム・スズ酸化物キャパシタ電極のアレイをベースとするタッチセンサ）、又は他のタッチ技術をベースとするタッチセンサである。
【００１８】
ディスプレイ１４は、ガラス又はプラスチック層のような透明なプレーナ導電性部材により覆われる。カバーガラス層又はカバーガラスとも称されるディスプレイ１４のカバー層は、図１に示すように、装置１０の前面の実質的に全体にわたって延びる。カバーガラスの長方形の中央部分（図１において破線２０で取り囲まれた）は、画像ピクセルのアレイを含み、ディスプレイのアクティブな部分とも称される。カバーガラスの外周部分（即ち、図１の長方形周辺リング２２）は、アクティブな画像ピクセルを含まず、ディスプレイ１４のインアクティブな部分とも称される。装置の内部コンポーネントをユーザの視界から隠すために、インアクティブな部分２２の下に黒インクの周辺リングのようなパターン化された不透明なマスク層が形成される。
【００１９】
図２は、装置１０の内部の上面図で、ハウジング１２内にアンテナ４０Ｌ及び４０Ｕをどのように具現化するか示している。図２に示すように、ハウジング１２内に接地平面Ｇが形成される。接地平面Ｇは、アンテナ４０Ｌ及び４０Ｕのためのアンテナ接地部を形成する。接地平面Ｇは、アンテナ接地部として働くので、接地平面Ｇは、アンテナ接地部、接地部、又は接地平面素子とも称される（例えば）。コンポーネント３１を装置１０にマウントするために１つ以上のプリント回路板又は他のマウント構造体が使用される。コンポーネント３１は、伝送線５２Ｌ及び５２Ｕを使用してアンテナ４０Ｌ及び４０Ｕに結合された高周波トランシーバ回路、プロセッサ、特定用途向け集積回路、カメラ、センサ、スイッチ、コネクタ、ボタン、及び他の電子装置コンポーネントを含む。
【００２０】
装置１０の中央部分Ｃにおいて、接地平面Ｇは、導電性ハウジング中間プレート部材のような導電性構造体（内部ハウジングプレート又はプレーナ内部ハウジング構造体とも称される）により形成される。接地平面Ｇの構造体は、部材１２の左縁と右縁との間に接続される。導電性接地トレースを伴うプリント回路板（例えば、コンポーネント３１のマウントに使用される１つ以上のプリント回路板）は、接地平面Ｇの一部分を形成する。
【００２１】
中間プレート部材は、一緒に溶接される１つ以上の個々の区分（例えば、パターン化されたシートメタル区分）を有する。中間プレート構造体の部分は、インサート成形プラスチックで覆われる（例えば、領域２４及び２６におけるアンテナ４０Ｕ及び４０Ｌの誘電体充填部分のような、導電性接地部が望まれない装置の内部部分に構造上の支持を与えるために）。
【００２２】
装置１０の端２４及び２６において、接地平面Ｇの形状は、接地接続される導電性構造体の形状及び位置によって決定される。図２の簡単なレイアウトにおける接地平面Ｇは、まっすぐな上縁ＵＥ及びまっすぐな下縁ＬＥを有する。実際の装置では、接地平面Ｇの上縁及び下縁と、周辺導電性ハウジング部材１２の内面は、一般的に、装置１０に存在する内部導電性構造体の形状により決定される非常に複雑な形状を有する。接地平面Ｇを形成するように重畳されると共に部材１２の内面の形状に影響する導電性構造体は、例えば、ハウジング構造体（例えば、突出部分を有する導電性ハウジング中間プレート構造体）、導電性コンポーネント（例えば、スイッチ、カメラ、データコネクタ、フレックス回路や堅牢なプリント回路板のようなプリント回路、高周波シールド缶、ボタン及び導電性ボタンマウント構造体）、及び装置１０における他の導電性構造体を含む。図２に示すレイアウトでは、導電性であって且つ接地平面Ｇの一部分を形成するように接地される装置１０の部分は、陰影付けされ且つ中央部分Ｃに隣接している。
【００２３】
開口１３８及び１４０のような開口（ギャップとも称される）は、接地平面Ｇと、周辺導電性ハウジング部材１２の各部分との間に形成される。開口１３８及び１４０には、空気、プラスチック及び他の誘電体が充填される。開口１３８及び１４０は、アンテナ構造体４０Ｕ及び４０Ｌに関連している。
【００２４】
下部アンテナ４０Ｌは、少なくとも一部分は接地平面Ｇ及び導電性ハウジング部材１２の下部の形状によって決定される形状を有するループアンテナ構造体により形成される。図２の例では、開口１３８は、長方形として描かれているが、これは、単なる例示に過ぎない。実際には、開口１３８の形状は、領域２６におけるマイクロホン、フレックス回路トレース、データポートコネクタ、ボタン、スピーカ、等の導電性構造体の配置によって決まる。
【００２５】
下部アンテナ４０Ｌは、正のアンテナフィード端子５８Ｌ及び接地アンテナフィード端子５４Ｌで作られたアンテナフィードを使用してフィードされる。伝送線５２Ｌは、下部アンテナ４０Ｌのアンテナフィードに結合される。ギャップ３０’は、アンテナ４０Ｌの周波数応答を構成する上で助けとなるキャパシタンスを形成する。必要に応じて、装置１０は、導電性ハウジング部分や、マッチング回路素子や、伝送線５２Ｌのインピーダンスをアンテナ４０Ｌにマッチングする上で助けとなる他の構造体及びコンポーネントを有する。
【００２６】
アンテナ４０Ｕは、２岐路の逆Ｆ字型アンテナである。伝送線５２Ｕは、アンテナフィード端子５８Ｕ及び５４Ｕにおいてアンテナ４０Ｕにフィードするのに使用される。導電性構造体１５０は、誘電体開口１４０を橋絡し且つ接地平面Ｇを周辺ハウジング部材１２に電気的に短絡する短絡経路を形成する。導電性構造体１４８（構造体１５０又は他の適当な構造体を形成するのに使用される形式の構造体を使用して形成される）及びマッチング回路Ｍは、アンテナフィード端子５８Ｕを点１５２において周辺導電性部材１２に接続するのに使用される。構造体１４８及び１５０のような導電性構造体（導電性経路とも称される）は、フレックス回路トレース、導電性ハウジング構造体、スプリング、スクリュー、溶接接続部、半田接合部、ブラケット、金属プレート、又は他の導電性構造体により形成される。
【００２７】
周辺導電性部材１２には、ギャップ３０’、３０''及び３０'''のようなギャップ（例えば、図１のギャップ３０）が存在する。必要に応じて審美的な対称性のために装置１０の右下部分に仮想ギャップが設けられてもよい。ギャップ３０’、３０''及び３０'''の存在は、周辺導電性ハウジング部材１２をセグメントに分割する。図２に示すように、周辺導電性部材１２は、第１セグメント１２−１、第２セグメント１２−２、及び第３セグメント１２−３を含む。
【００２８】
セグメント１２−１は、アンテナ４０Ｕのアンテナ共振素子アームを形成する。特に、セグメント１２−１の第１部分（セグメント）は、点１５２（セグメント１２−１がフィードされる）から、ギャップ３０''により画成されたセグメント１２−１の端まで延び、そしてセグメント１２−１の第２部分（セグメント）は、点１５２から、ギャップ３０'''によって画成されたセグメント１２−１の反対端まで延びる。セグメント１２−１の第１及び第２部分は、逆Ｆ字アンテナの各岐路を形成し、そしてアンテナ４０Ｕの各低帯域（ＬＢ）及び高帯域（ＨＢ）アンテナ共振に関連している。部材１２−１の長さに沿った構造体１４８及び１５０の相対的な位置は、アンテナ４０Ｕの応答に影響し、そしてアンテナ４０Ｕをチューニングするように選択される。アンテナチューニング調整は、マッチング回路Ｍを調整するか、経路１４８及び１５０を形成するのに使用されるコンポーネントの構成を調整するか、開口１４０の形状を調整するか、等々によって行うこともできる。アンテナ４０Ｌも、同様に、調整される。
【００２９】
１つの例示的構成では、アンテナ４０Ｌは、５つの通信帯域（例えば、８５０ＭＨｚ、９００ＭＨｚ、１８００ＭＨｚ、１９００ＭＨｚ及び２１００ＭＨｚ）における送信及び受信サブ帯域をカバーする。アンテナ４０Ｕは、一例として、これら５つの例示的通信帯域のサブセットをカバーするように構成される。例えば、アンテナ４０Ｕは、２つの当該受信帯域を、そしてチューニングで４つの当該受信帯域をカバーするように構成される。
【００３０】
アンテナ４０Ｌ及び４０Ｕの適切な機能は、少なくとも一部分は、ギャップ１３８及び１４０の存在に依存する。ギャップ１３８及び１４０のサイズ及び形状は、周辺導電性ハウジング部材１２のようなハウジング構造体及び接地平面Ｇの導電性構造体の配置により及びギャップＧの内部に裏張りされる導電性コンポーネント構造体により決定される。領域２４及び２６において接地平面Ｇに対する構造上の支持を与えながらギャップ１３８及び１４０の存在を保持するために、接地平面Ｇの端に誘電体構造体１６０のような誘電体支持構造体を追加するのが望ましい。構造体１６０は、例えば、射出成形（インサート成形）プラスチックで形成される。構造体１６０は、誘電体で形成されるので、開口１４０（図３の例）の形状は、構造体１６０の存在によって変更されない。しかしながら、構造体１６０は、接地平面Ｇの上端を支持する上で助けとなる（例えば、周辺導電性ハウジング部材１２の内部に縁ＵＥを取り付ける上で役立つようにすることで）。１つの適当な構成では、接地平面Ｇの構造体は、溶接及びオーバーモールドプラスチックを使用して複数のシートメタル（例えば、ステンレススチール）区分を互いに取り付けることにより形成される。構造体１６０は、接地平面Ｇの上部の上に射出成形され、そして周辺導電性ハウジング部材１２の１つ以上のくぼみ内に嵌合する部分を有する。
【００３１】
構造体１６０と接地平面Ｇのメタルシート構造体との間の接合が充分に頑健であることを保証するため、接地平面Ｇの縁に係合特徴部を形成することが望ましい。これらの係合特徴部は、（一例として）屈曲金属突起の形態をとる。
【００３２】
ポリマー構造体１６０の係合特徴部として働く屈曲金属枝部が接地平面Ｇに設けられる例示的構成が図４に示されている。図４の断面図に示したように、係合特徴部１６２は、接地平面Ｇの縁のパターン化された突出部を接地平面Ｇの平面に対して角度θで屈曲することにより形成される。角度θは、例えば、約４５°（例えば、２０ないし６０°、又は他の適当な非ゼロの角度）である。この形式の構成では、係合特徴部１６２は、接地平面Ｇから次元Ｚ（即ち、接地平面Ｇの平面に直角な表面に平行）及び次元Ｙ（装置２０の長手軸及び接地平面Ｇに平行）の両方に外れることに抵抗する。
【００３３】
構造体１６０が係合構造体１６２から引き抜けるのを防止する上で助けとなるように、係合構造体１６２は、図５に示す形式のダボテール形状にされる。構造体１６０の一部分を捕獲する上で助けとなり、従って、構造体１６０が接地平面Ｇから除去されるのに抵抗する他の形状も、必要に応じて、使用できる。図５の係合特徴部１６２を形成する屈曲ダボテール状タブのここに示すプロフィールは、単なる例示に過ぎない。
【００３４】
図６は、係合特徴部１６２が見えるようにするために構造体１６０を省略して接地平面Ｇにおける係合構造体１６２付近の装置１０の内部を示す斜視図である。図６に示すように、周辺導電性ハウジング部材１２は、部材１６０の嵌合縁部分を受け入れるくぼみ部分１６４のような部分を有する。これは、部材１６０、ひいては、接地平面Ｇをハウジング１１内に固定する上で助けとなる。
【００３５】
図７は、構造体１６０が含まれた図６の装置１０の内部を示す斜視図である。図７に示すように、構造体１６０は、ギャップ１４０内に導電性構造体を強いることなくギャップ１４０を橋絡する誘電体の機械的支持体をなす。アンテナ４０Ｕ及び４０Ｌのようなアンテナが適切に機能するよう保証するために、装置１０に調整可能なコンポーネントを設けることが時々望まれる。アンテナの性能を変更すべきであることがテストで明らかになった場合には、装置１０が設計仕様に基づいて製造されるよう確保するために、調整可能なコンポーネントの構成を製造中に変更することができる。
【００３６】
図８は、装置１０に使用される形式のアンテナチューニング構造体を例示する上面図である。図８の例では、調整可能な構造体１６６が領域２４においてアンテナ４０Ｕに形成される。これは、単なる例示に過ぎない。アンテナ構造体には、必要に応じて、調整可能な構造体１６６のような調整可能なコンポーネントが設けられる。図８に示したように、開口１４０の形状は、その一部分は、導電性部分を含むコンポーネント、例えば、コンポーネント１７２の位置によって決定される。コンポーネント１７２は、例えば、カメラモジュールである。
【００３７】
調整可能な構造体１６６は、開口１４０のサイズ及び形状に影響する導電性構造体から形成される。ある構成では、構造体１６６は、比較的浅い高さＨの到達面１６８を有する。他の構成では、構造体１６６は、大きな高さＨを有する（例えば、構造体１６６の最外面が破線１７０に整列するように）。構造体１６６の表面の位置は、アンテナ４０Ｌの電気的性能に影響する（例えば、開口１４０の形状を変更するか；アンテナ４０Ｕのキャパシタンス、例えば、構造体１６６の付近における部材１２とコンポーネント１７２との間の距離Ｄにより影響される周辺導電性ハウジング部材１２と接地平面Ｇとの間のシャントキャパシタンスを変更するか；等々により）
【００３８】
製造中に、アンテナ４０Ｕのようなアンテナ構造体の性能が測定される。アンテナ４０Ｕの性能を調整する必要がある場合には、高さＨの値に対する対応調整が調整可能な構造体１６６に対して行われる。１つ以上のサンプル装置の性能がこのように特徴付けられると、同じ構成の後続装置（例えば、同じ調達先からの周辺導電性ハウジング部材及び接地平面構造体Ｇを備え且つ同じ技術を使用して製造された装置）を同様に調整することができる。それ故、この形式の調整は、周辺導電性ハウジング部材１２又は接地平面Ｇのようなコンポーネントを個々に再製造する必要なく、製造ライン上の多数の装置に対して行われる。
【００３９】
１つの例示的構成では、調整可能な構造体１６６は、周辺導電性ハウジング部材１２上のネジ切りされた構造体にマウントされるワッシャー又は他の適当な詰め物及びスクリューを含む。図９は、装置１０の分解斜視図であり、調整可能な構造体１６６がスクリュー１７２及び金属ワッシャー１７４をどのように含むか示している。破線１７７は、ワッシャー１７４の付近の接地平面Ｇの縁を示す。それに対応するアッセンブル図が図１０に示されている。
【００４０】
一実施形態によれば、アンテナのためのアンテナ接地部を形成する導電性構造体を有すると共に、ハウジングの少なくとも幾つかの縁の周りに延びてアンテナの少なくとも一部分を形成する周辺導電性部材を有するハウジングを備え、アンテナ接地部及び周辺導電性部材は、ギャップにより分離され、そして導電性構造体は、突出係合特徴部を有し、更に、ギャップ内にあって突出係合特徴部上に成形されたプラスチック構造体を備えた電子装置が提供される。
【００４１】
一実施形態によれば、プラスチック構造体は、ギャップを橋絡し、そして周辺導電性部材に接触し、導電性構造体は、少なくとも１つの内部シートメタル構造体を含み、更に、突出係合特徴部は、屈曲タブを含む。
【００４２】
一実施形態によれば、屈曲タブは、プラスチック構造体と導電性構造体との間の分離に抵抗するプロフィールを有する。
【００４３】
一実施形態によれば、屈曲タブは、ダボテール状のプロフィールを有する。
【００４４】
一実施形態によれば、内部シートメタル構造体は、平面内にあり、そして屈曲タブは、その平面に対して２０°から６０°の角度で曲げられる。
【００４５】
一実施形態によれば、ハウジングは、長方形の周囲を有し、そして周辺導電性部材は、ハウジングの側壁を形成し且つ長方形周囲の周りに延びる金属ハウジング部材を含む。
【００４６】
一実施形態によれば、周辺導電性部材及び導電性構造体はステンレススチールを含む。
【００４７】
一実施形態によれば、アンテナを通して高周波アンテナ信号を送信及び受信する高周波トランシーバ回路も備えた電子装置が提供される。
【００４８】
一実施形態によれば、アンテナのためのアンテナ接地部を形成する導電性構造体を含むと共に、ハウジングの少なくとも幾つかの縁の周りに延びてアンテナの少なくとも一部分を形成する周辺導電性部材を有するハウジングを備え、アンテナ接地部及び周辺導電性部材は、ギャップにより分離され、更に、周辺導電性部材上にあって、ギャップを調整することによりアンテナをチューニングするように構成された調整可能な導電性構造体を備えた電子装置が提供される。
【００４９】
一実施形態によれば、調整可能な導電性構造体は、スクリューと、該スクリューにより周辺導電性部材に保持されるワッシャーとを含む。
【００５０】
一実施形態によれば、アンテナ接地部を形成する導電性構造体は、カメラを含む。
【００５１】
一実施形態によれば、カメラ及びワッシャーは、ギャップによって互いに分離される。
【００５２】
一実施形態によれば、アンテナ接地部を形成する導電性構造体は、少なくとも１枚のシートメタル層を含む。
【００５３】
一実施形態によれば、周辺導電性部材は、リング状のステンレススチール部材を含む。
【００５４】
一実施形態によれば、ギャップにプラスチックを含む電子装置が提供される。
【００５５】
一実施形態によれば、係合特徴部を有する接地平面導電性構造体と、該接地平面導電性構造体からギャップで分離された一部分をもつ長方形リング状周辺導電性ハウジング部材と、ギャップ内にあって係合特徴部に取り付けられる少なくとも１つのプラスチック構造体と、長方形リング状周辺導電性ハウジング部材の一部分にある調整可能な導電性構造体とを備えた電子装置が提供される。
【００５６】
一実施形態によれば、接地平面導電性構造体は、シートメタルを含み、そして係合特徴部は、シートメタルから突出したタブを含む。
【００５７】
一実施形態によれば、調整可能な導電性構造体は、ギャップの一部分に関連した寸法を変更するように選択された厚みをもつ金属部材を含む。
【００５８】
一実施形態によれば、接地平面導電性構造体及び長方形リング状周辺導電性ハウジング部材は、少なくとも１つのアンテナの一部分を形成し、そして電子装置は、アンテナに結合された高周波トランシーバも備えている。
【００５９】
一実施形態によれば、金属部材は、ワッシャーを含み、調整可能な導電性構造体は、そのワッシャーを長方形リング状周辺導電性ハウジング部材に取り付けるスクリューを含み、タブは、屈曲タブを含み、そしてプラスチック構造体は、その屈曲タブ上に成形されるプラスチックを含む。
【００６０】
以上の説明は、本発明の原理を単に例示するものに過ぎず、当業者であれば、本発明の範囲及び精神から逸脱せずに種々の変更がなされるであろう。以上の実施形態は、個々に具現化されてもよいし、組み合わせて具現化されてもよい。
【符号の説明】
【００６１】
１０：電子装置
１１：ハウジング
１２：周辺導電性ハウジング部材
１４：ディスプレイ
１６：ボタン
１８：スピーカポート
２２：周辺リング
２４、２６：領域
３０：ギャップ
３１：コンポーネント
４０Ｌ、４０Ｕ：アンテナ
５２Ｌ、５２Ｕ：伝送線
５４Ｌ、５４Ｕ：アンテナフィード端子
５８Ｌ、５８Ｕ：アンテナフィード端子
１３８、１４０：開口
１４８、１５０：導電性構造体
１６０：誘電体構造体
１６２：係合特徴部
１６６：調整可能な構造体
１７２：スクリュー
１７４：ワッシャー
Ｃ：中央部分
Ｇ：接地平面
Ｍ：マッチング回路
ＵＥ：上縁
ＬＥ：下縁
【図１】
0005696230.tif 000002
【図２】
0005696230.tif 000003
【図３】
0005696230.tif 000004
【図４】
0005696230.tif 000005
【図５】
0005696230.tif 000006
【図６】
0005696230.tif 000007
【図７】
0005696230.tif 000008
【図８】
0005696230.tif 000009
【図９】
0005696230.tif 000010
【図１０】
0005696230.tif 000011